(57)【要約】  【課題】  従来より容易に搬送ベルトを清掃することができる自動原稿搬送装置を提供する。  【解決手段】  ＡＤＦは、複写機のコンタクトガラスに対向して配置されて原稿を搬送する搬送ベルト６１と、搬送ベルト６１とは別に設けられて原稿を搬送する読取入口ローラ及び読取出口ローラと、搬送ベルト６１、読取入口ローラ及び読取出口ローラに読取モータの駆動力を伝達する伝達部とを備え、伝達部は、搬送ベルト６１、読取入口ローラ及び読取出口ローラのうち搬送ベルト６１のみに駆動力を伝達する一方向クラッチ７６を有し、一方向クラッチ７６は、読取モータの駆動力によって搬送ベルト６１が回転させられるときと同一方向である矢印６１ａで示す方向に搬送ベルト６１が外部負荷によって回転させられる場合に空転する。【選択図】  図３
2006227386.tif 000002
【特許請求の範囲】
【請求項１】
原稿の画像を読み取る画像読取装置の画像読取位置に対向して配置されて前記原稿を搬送する搬送ベルトと、前記搬送ベルトとは別に設けられて前記原稿を搬送する搬送手段と、前記搬送ベルト及び前記搬送手段に同一の駆動源の駆動力を伝達する伝達手段とを備え、
前記伝達手段は、前記搬送ベルト及び前記搬送手段のうち前記搬送ベルトのみに前記駆動力を伝達する一方向クラッチを有し、
前記一方向クラッチは、前記駆動力によって前記搬送ベルトが回転させられるときと同一方向に前記搬送ベルトが外部負荷によって回転させられる場合に空転することを特徴とする自動原稿搬送装置。
【発明の詳細な説明】
【技術分野】
【０００１】
本発明は、原稿の画像を読み取る例えば複写機、ファクシミリ装置、スキャナ装置等の画像読取装置における自動原稿搬送装置に関するものである。
【背景技術】
【０００２】
従来の自動原稿搬送装置として、画像読取装置の画像読取位置に対向して配置された搬送ベルトによって原稿を搬送するものが知られている（例えば、特許文献１参照。）。このような自動原稿搬送装置においては、搬送ベルトが汚れたときに搬送ベルトの汚れが原稿越しに画像読取装置によって読み取られてしまう場合があったので、随時搬送ベルトを清掃する必要があった。
【０００３】
クリーニングローラを搬送ベルトに接触させることによって搬送ベルトを清掃できる自動原稿搬送装置が知られている（例えば、特許文献２参照。）が、クリーニングローラによる清掃では、画像読取装置によって読み取られない程度に搬送ベルトの汚れを取り除くことが困難であった。したがって、画像読取装置の画像読取位置に対向して配置された搬送ベルトの清掃は、清掃者の手等による外部負荷によって搬送ベルトを回転させながら搬送ベルトの汚れを拭き取ることが望ましい。
【０００４】
【特許文献１】特開平６−２５５８２４号公報（第３−４頁、第１図）
【特許文献２】特開平１０−２０５６７号公報（第３頁、第１図）
【発明の開示】
【発明が解決しようとする課題】
【０００５】
しかしながら、搬送ベルトとは別に設けられて原稿を搬送する搬送手段と、搬送ベルト及び搬送手段に同一の駆動源の駆動力を伝達する伝達手段とを備えた自動原稿搬送装置においては、搬送ベルトを回転させるために搬送ベルトだけでなく搬送手段も駆動させる必要があり、大きな外部負荷が必要であるので、清掃者の手等による外部負荷によって搬送ベルトを回転させながら搬送ベルトの汚れを拭き取ることが困難であった。
【０００６】
本発明は、従来の問題を解決するためになされたもので、従来より容易に搬送ベルトを清掃することができる自動原稿搬送装置を提供することを目的とする。
【課題を解決するための手段】
【０００７】
本発明の自動原稿搬送装置は、原稿の画像を読み取る画像読取装置の画像読取位置に対向して配置されて前記原稿を搬送する搬送ベルトと、前記搬送ベルトとは別に設けられて前記原稿を搬送する搬送手段と、前記搬送ベルト及び前記搬送手段に同一の駆動源の駆動力を伝達する伝達手段とを備え、前記伝達手段は、前記搬送ベルト及び前記搬送手段のうち前記搬送ベルトのみに前記駆動力を伝達する一方向クラッチを有し、前記一方向クラッチは、前記駆動力によって前記搬送ベルトが回転させられるときと同一方向に前記搬送ベルトが外部負荷によって回転させられる場合に空転する構成を有している。
【０００８】
この構成により、本発明の自動原稿搬送装置は、搬送ベルトを回転させるために必要な外部負荷が一方向クラッチの働きによって従来より低減するので、従来より容易に搬送ベルトを清掃することができる。
【発明の効果】
【０００９】
本発明は、従来より容易に搬送ベルトを清掃することができる自動原稿搬送装置を提供することができるものである。
【発明を実施するための最良の形態】
【００１０】
以下、本発明の一実施の形態について、図面を用いて説明する。
【００１１】
まず、本実施の形態に係る画像読取装置の構成について説明する。
【００１２】
図１に示すように、本実施の形態に係る画像読取装置としての複写機１０は、本体２０と、本体２０の上部を開閉可能に図示していないヒンジ等を介して本体２０に連結された自動原稿搬送装置（以下「ＡＤＦ」という。）３０とを備えている。
【００１３】
本体２０は、ＡＤＦ３０によって搬送された原稿と接触するコンタクトガラス２１と、コンタクトガラス２１上を搬送されている原稿の画像を読み取る図示していない読取手段とを備えている。なお、読取手段は、ＣＣＤ（Ｃｈａｒｇｅ  Ｃｏｕｐｌｅｄ  Ｄｅｖｉｃｅ）及びＣＣＤに光を導く公知の光学系によって構成されており、コンタクトガラス２１の下方に固定配置されている。
【００１４】
ＡＤＦ３０は、原稿をセットする原稿セット部３１と、原稿セット部３１にセットされた原稿の束から原稿を一枚ずつ分離して給送する分離給送部３２と、分離給送部３２によって給送された原稿を突き当て整合した後、引き出して搬送するレジスト部３３と、レジスト部３３によって搬送された原稿をターンさせて原稿面をコンタクトガラス２１側に向けて搬送するターン部３４と、ターン部３４によって搬送された原稿を搬送しながら本体２０の読取手段に原稿の画像を読み取らせる読取搬送部３５と、読取手段によって読み取らせた後の原稿を機外に排出する排紙部３６と、排紙部３６によって排出された原稿を積載保持するスタック部３７と、原稿が両面原稿である場合に読取手段によって１度読み取らせた原稿の表裏を反転するためのスイッチバック部３８と、スイッチバック部３８によって反転させられた原稿を再びレジスト部３３に戻す中間搬送部３９と、ＡＤＦ３０の一連の動作を制御する図示していないコントローラ部とを備えている。
【００１５】
読取搬送部３５は、読取搬送部３５による搬送動作の駆動を行う駆動源としての読取モータ５１（図２参照。）と、コンタクトガラス２１上に上流から原稿を搬送するローラ５３、５４からなる読取入口ローラ５２と、コンタクトガラス２１上から下流に原稿を搬送するローラ５６、５７からなる読取出口ローラ５５と、コンタクトガラス２１上の原稿を上流から下流に搬送する搬送ベルトユニット６０と、読取入口ローラ５２、読取出口ローラ５５及び搬送ベルトユニット６０に読取モータ５１の駆動力を伝達する伝達手段としての伝達部７０（図２参照。）とを有している。なお、読取入口ローラ５２のローラ５３、読取出口ローラ５５のローラ５６は、それぞれ搬送手段を構成している。
【００１６】
搬送ベルトユニット６０は、図３及び図４に示すように、複写機１０（図１参照。）の画像読取位置、即ちコンタクトガラス２１（図１参照。）の位置に対向して配置されて原稿を搬送する搬送ベルト６１と、搬送ベルト６１が掛けられ読取モータ５１（図２参照。）の駆動力が伝達される駆動ローラ６２と、搬送ベルト６１が掛けられ搬送ベルト６１を介して駆動ローラ６２の回転に従って回転する従動ローラ６３、６４と、駆動ローラ６２及び従動ローラ６３を回転自在に支持するハウジング６５と、図示していない圧縮スプリングによって駆動ローラ６２から離隔する方向に付勢されることによって搬送ベルト６１に一定の張力を付与するとともに従動ローラ６４を回転自在に支持する加圧ブラケット６６とを有している。なお、駆動ローラ６２及び従動ローラ６３、６４のうち、コンタクトガラス２１との隙間が最も狭いのは従動ローラ６３であり、その隙間は０．３ｍｍ〜０．５ｍｍに保たれている。
【００１７】
図２に示すように、伝達部７０は、読取モータ５１の軸５１Ａに掛けられたベルト７１と、ベルト７１が掛けられたプーリ７２と、読取出口ローラ５５（図１参照。）のローラ５６の軸５６Ａに固定されたプーリ７３と、読取入口ローラ５２（図１参照。）のローラ５３の軸５３Ａに固定されたプーリ７４と、プーリ７２、プーリ７３及びプーリ７４に掛けられたベルト７５と、駆動ローラ６２の軸６２Ａに一方向クラッチ７６を介して連結されたプーリ７７と、プーリ７３及びプーリ７７に掛けられたベルト７８とを有している。
【００１８】
なお、一方向クラッチ７６は、読取入口ローラ５２、読取出口ローラ５５及び搬送ベルトユニット６０（図１参照。）のうち搬送ベルトユニット６０のみに読取モータ５１の駆動力を伝達するものであり、読取モータ５１の駆動力によって搬送ベルト６１（図１参照。）が回転させられるときと同一方向、即ち矢印６１ａ（図１参照。）で示す方向に搬送ベルト６１が外部負荷によって回転させられる場合に空転するようになっている。
【００１９】
次に、読取搬送部３５の動作について説明する。
【００２０】
読取モータ５１の軸５１Ａが矢印５１ａで示す方向に回転すると、読取モータ５１の駆動力がベルト７１、プーリ７２及びベルト７５を介してプーリ７３及びプーリ７４に伝達されるとともに、プーリ７３に伝達された駆動力がベルト７８を介してプーリ７７にも伝達されるので、プーリ７３、プーリ７４、プーリ７７は、それぞれ矢印７３ａ、７４ａ、７７ａで示す方向に回転する。
【００２１】
プーリ７３が矢印７３ａで示す方向に回転すると、プーリ７３が固定されたローラ５６は、矢印５６ａで示す方向に回転する。また、プーリ７４が矢印７４ａで示す方向に回転すると、プーリ７４が固定されたローラ５３は、矢印５３ａで示す方向に回転する。
【００２２】
また、プーリ７７が矢印７７ａで示す方向に回転すると、プーリ７７に伝達された駆動力が一方向クラッチ７６を介して更に駆動ローラ６２に伝達されるので、駆動ローラ６２は、矢印６２ａで示す方向に回転する。そして、矢印６２ａで示す方向に駆動ローラ６２が回転すると、搬送ベルト６１は、矢印６１ａで示す方向に回転する。
【００２３】
したがって、読取搬送部３５は、読取入口ローラ５２のローラ５３、搬送ベルト６１、読取出口ローラ５５のローラ５６がそれぞれ矢印５３ａ、６１ａ、５６ａで示す方向に同時に回転するので、コンタクトガラス２１上での原稿の速度変動を防止することができる。
【００２４】
次に、読取搬送部３５の清掃について説明する。
【００２５】
清掃者が本体２０の上部に対してＡＤＦ３０を開けて矢印６１ａで示す方向の外部負荷を手等によって搬送ベルト６１に加えると、一方向クラッチ７６が空転するので、読取入口ローラ５２及び読取出口ローラ５５とは独立して搬送ベルト６１が矢印６１ａで示す方向に回転する。
【００２６】
したがって、清掃者は、手等で搬送ベルト６１に外部負荷をかけて搬送ベルト６１を矢印６１ａで示す方向に回転させながら搬送ベルト６１の汚れを拭き取ることができる。
【００２７】
以上に説明したように、ＡＤＦ３０は、清掃者が搬送ベルト６１を矢印６１ａで示す方向に回転させるために必要な外部負荷が一方向クラッチ７６の働きによって従来より低減するので、従来より容易に搬送ベルト６１を清掃することができる。
【図面の簡単な説明】
【００２８】
【図１】本発明の一実施の形態に係る複写機の一部の側面断面図
【図２】図１に示す複写機のＡＤＦの読取搬送部の駆動機構を示す図
【図３】図１に示す複写機のＡＤＦの読取搬送部の搬送ベルトユニットの外観斜視図
【図４】搬送ベルトが外された状態での図３に示す搬送ベルトユニットの外観斜視図
【符号の説明】
【００２９】
１０  複写機（画像読取装置）
３０  ＡＤＦ（自動原稿搬送装置）
５１  読取モータ（駆動源）
５３  ローラ（搬送手段）
５６  ローラ（搬送手段）
６１  搬送ベルト
７０  伝達部（伝達手段）
７６  一方向クラッチ
【図１】
2006227386.tif 000003
【図２】
2006227386.tif 000004
【図３】
2006227386.tif 000005
【図４】
2006227386.tif 000006